(57)【要約】【課題】投写型映像表示装置において映像信号を解析する負荷を低減させることができ、光量調節部を用いて映像の輝度に応じた光量の調節を行うことができる映像表示システム、投写型映像表示装置、映像信号出力装置、プログラムを提供する。【解決手段】映像表示システム１は、映像信号に基づいて映像を投写して表示するプロジェクタ２０と、映像信号を出力する映像再生装置１０を備える。プロジェクタ２０は、光源２１と、光源２１が発した光を用いて映像を生成する映像生成部２３と、光量を調節する絞り２２とを備え、映像再生装置１０は、プロジェクタ２０に表示させる映像の輝度に関する情報を映像データから取得する輝度情報取得部１２と、輝度に関する情報に基づいて絞り２２を制御するための制御信号を出力する信号出力部１３とを備えている。プロジェクタ２０は、映像再生装置１０から入力される制御信号に基づいて、絞り２２で光量を調節する。【選択図】図１
2012233978.tif 000002
【特許請求の範囲】
【請求項１】
外部から入力される映像信号に基づいて映像を投写して表示する投写型映像表示装置と、この投写型映像表示装置に前記映像信号を出力する映像信号出力装置とを備える映像表示システムにおいて、
前記投写型映像表示装置は、映像表示用の光源と、前記光源が発した光を用いて映像を生成する映像生成部と、光量を調節する光量調節部とを備え、
前記映像信号出力装置は、前記投写型映像表示装置に表示させる映像の輝度に関する情報を映像データから取得する輝度情報取得部と、前記輝度に関する情報に基づいて前記光量調節部を制御するための制御信号を出力する制御信号出力部とを備え、
前記投写型映像表示装置が、前記映像信号出力装置から入力される前記制御信号に基づいて、前記光量調節部で光量を調節する
ことを特徴とする映像表示システム。
【請求項２】
前記光量調節部は開口率が変化する絞りにより構成され、
前記投写型映像表示装置は、前記絞りの開口率を変化させる電動モータと、この電動モータを駆動するモータ駆動部とを備え、
前記モータ駆動部が、前記映像信号出力装置から入力される前記制御信号に基づいて、前記絞りの開口率を変化させるように前記電動モータを駆動する
ことを特徴とする請求項１に記載の映像表示システム。
【請求項３】
前記映像信号及び前記制御信号が、互いに異なるプロトコルに準じて前記映像信号出力装置から前記投写型映像表示装置へ伝送される
ことを特徴とする請求項１または２に記載の映像表示システム。
【請求項４】
外部から入力される映像信号に基づいて映像を投写して表示する投写型映像表示装置において、
映像表示用の光源と、前記光源が発した光を用いて映像を生成する映像生成部と、光量を調節する光量調節部とを備え、
前記映像信号の入力とは異なるプロトコルに準じて外部から入力される制御信号に基づいて、前記光量調節部で光量を調節する
ことを特徴とする投写型映像表示装置。
【請求項５】
光量を調節する光量調節部を備えた投写型映像表示装置に映像信号を出力する映像信号出力装置において、
前記投写型映像表示装置に表示させる映像の輝度に関する情報を映像データから取得する輝度情報取得部と、前記輝度に関する情報に基づいて前記光量調節部を制御するための制御信号を前記映像信号の出力とは異なるプロトコルに準じて出力する制御信号出力部とを備える
ことを特徴とする映像信号出力装置。
【請求項６】
光量を調節する光量調節部を備えた投写型映像表示装置に映像信号を出力する映像信号出力装置を、
前記投写型映像表示装置に表示させる映像の輝度に関する情報を映像データから取得する輝度情報取得手段として動作させ、かつ、
前記輝度に関する情報に基づいて前記光量調節部を制御するための制御信号を前記映像信号の出力とは異なるプロトコルに準じて出力する制御信号出力手段として動作させる
ことを特徴とするプログラム。
【発明の詳細な説明】
【技術分野】
【０００１】
本発明は、投射する光の量を調節可能な投写型映像表示装置、これを備える映像表示システム、これに用いられる映像信号出力装置及びプログラムに関する。
【背景技術】
【０００２】
液晶プロジェクタ等の投写型映像表示装置において、映像信号から取得可能な平均輝度レベル（ＡＰＬ：Average Picture Level）に基づいて、光量を調節する構成を備えたものが知られている（例えば特許文献１及び２参照）。光量を調節する構成として絞りを備えるプロジェクタにおいては、平均輝度レベルが高い（明るい）ときに絞りの開口率を大きくし、平均輝度レベルが低い（暗い）ときに絞りの開口率を小さくして、コントラスト比を高めることができる。
【先行技術文献】
【特許文献】
【０００３】
【特許文献１】特開２００８−１３９８５７号公報
【特許文献２】特開２００９−１０３９１７号公報
【発明の概要】
【発明が解決しようとする課題】
【０００４】
ところで、外部から入力される映像信号に基づいて映像を投写して表示する投写型映像表示装置において、映像信号を解析することにより平均輝度レベルを検出する場合には、映像信号を解析する負荷が発生する。このため、平均輝度レベルを直ちに検出することができず、これに起因して映像の輝度に応じた光量の調節を速やかに行うことができないおそれがあった。特に平均輝度レベルが急激に変化する場合には、光量の調節を速やかに行うことができず、所望の映像において光量の調節が遅延するおそれがある。
【０００５】
本発明は、こうした実情に鑑みてなされたものであり、その目的は、投写型映像表示装置において映像信号を解析する負荷を低減させることができ、光量調節部を用いて映像の輝度に応じた光量の調節を行うことができる映像表示システム、投写型映像表示装置、映像信号出力装置、プログラムを提供することにある。
【課題を解決するための手段】
【０００６】
以下、上記目的を達成するための手段及びその作用効果について記載する。
請求項１に記載の発明は、外部から入力される映像信号に基づいて映像を投写して表示する投写型映像表示装置と、この投写型映像表示装置に前記映像信号を出力する映像信号出力装置とを備える映像表示システムにおいて、前記投写型映像表示装置は、映像表示用の光源と、前記光源が発した光を用いて映像を生成する映像生成部と、光量を調節する光量調節部とを備え、前記映像信号出力装置は、前記投写型映像表示装置に表示させる映像の輝度に関する情報を映像データから取得する輝度情報取得部と、前記輝度に関する情報に基づいて前記光量調節部を制御するための制御信号を出力する制御信号出力部とを備え、前記投写型映像表示装置が、前記映像信号出力装置から入力される前記制御信号に基づいて、前記光量調節部で光量を調節することを特徴とする。
【０００７】
上記構成によれば、映像信号出力装置が、投写型映像表示装置に表示させる映像の輝度に関する情報を映像データから取得して、輝度に関する情報に基づいて投写型映像表示装置が備える光量調節部を制御するための制御信号を出力する。そして、投写型映像表示装置が、映像信号出力装置から入力される制御信号に基づいて光量を調節する。従って、投写型映像表示装置は、映像信号出力装置から入力される映像信号を解析することなく、映像信号出力装置から入力される制御信号に基づいて、映像の輝度に関する情報に基づく光量の調節を行うことができる。よって、投写型映像表示装置において映像信号を解析する負荷を低減させることができ、光量調節部を用いて映像の輝度に応じた光量の調節を速やかに行うことができる。
【０００８】
請求項２に記載の発明は、請求項１に記載の映像表示システムにおいて、前記光量調節部は開口率が変化する絞りにより構成され、前記投写型映像表示装置は、前記絞りの開口率を変化させる電動モータと、この電動モータを駆動するモータ駆動部とを備え、前記モータ駆動部が、前記映像信号出力装置から入力される前記制御信号に基づいて、前記絞りの開口率を変化させるように前記電動モータを駆動することを特徴とする。
【０００９】
上記構成によれば、投写型映像表示装置が備えるモータ駆動部が、映像信号出力装置から入力される制御信号に基づいて、光量調節部である絞りの開口率を変化させるように電動モータを駆動する。このため、光源の発光量を制御することにより光量を調節する場合に比べて、電動モータにより光量の調節を安定的に行うことができる。
【００１０】
請求項３に記載の発明は、請求項１または２に記載の映像表示システムにおいて、前記映像信号及び前記制御信号が、互いに異なるプロトコルに準じて前記映像信号出力装置から前記投写型映像表示装置へ伝送されることを特徴とする。
【００１１】
上記構成によれば、映像信号及び制御信号は、互いに異なるプロトコルに準じて映像信号出力装置から投写型映像表示装置へ伝送されるため、例えば１つの通信ケーブルを介して映像信号出力装置から投写型映像表示装置へ映像信号及び制御信号を転送することが可能である。
【００１２】
請求項４に記載の発明は、外部から入力される映像信号に基づいて映像を投写して表示する投写型映像表示装置において、映像表示用の光源と、前記光源が発した光を用いて映像を生成する映像生成部と、光量を調節する光量調節部とを備え、前記映像信号の入力とは異なるプロトコルに準じて外部から入力される制御信号に基づいて、前記光量調節部で光量を調節することを特徴とする。
【００１３】
上記構成によれば、投写型映像表示装置において、映像信号の入力とは異なるプロトコルに準じて外部から入力される制御信号に基づいて、光量調節部で光量が調節される。従って、投写型映像表示装置に表示させる映像の輝度に関する情報を制御信号として外部から入力すれば、映像の輝度に関する情報に基づく光量の調節を行うことができる。よって、投写型映像表示装置において映像信号を解析する負荷を低減させることができ、光量調節部を用いて映像の輝度に応じた光量の調節を速やかに行うことができる。
【００１４】
請求項５に記載の発明は、光量を調節する光量調節部を備えた投写型映像表示装置に映像信号を出力する映像信号出力装置において、前記投写型映像表示装置に表示させる映像の輝度に関する情報を映像データから取得する輝度情報取得部と、前記輝度に関する情報に基づいて前記光量調節部を制御するための制御信号を前記映像信号の出力とは異なるプロトコルに準じて出力する制御信号出力部とを備えることを特徴とする。
【００１５】
上記構成によれば、映像信号出力装置は、投写型映像表示装置に表示させる映像の輝度に関する情報を映像データから取得する輝度情報取得部と、輝度に関する情報に基づいて投写型映像表示装置が備える光量調節部を制御するための制御信号を映像信号の出力とは異なるプロトコルに準じて出力する制御信号出力部とを備える。従って、映像信号及び制御信号が入力される投写型映像表示装置においては、映像信号を解析せずに、映像の輝度に関する情報に基づく光量の調節を行うことができる。よって、投写型映像表示装置において映像信号を解析する負荷を低減させることができ、光量調節部を用いて映像の輝度に応じた光量の調節を速やかに行うことができる。
【００１６】
請求項６に記載の発明は、光量を調節する光量調節部を備えた投写型映像表示装置に映像信号を出力する映像信号出力装置を、前記投写型映像表示装置に表示させる映像の輝度に関する情報を映像データから取得する輝度情報取得手段として動作させ、かつ、前記輝度に関する情報に基づいて前記光量調節部を制御するための制御信号を前記映像信号の出力とは異なるプロトコルに準じて出力する制御信号出力手段として動作させることを特徴とするプログラムである。
【００１７】
上記プログラムによれば、映像信号出力装置が、投写型映像表示装置に表示させる映像の輝度に関する情報を映像データから取得する輝度情報取得手段、および、輝度に関する情報に基づいて投写型映像表示装置が備える光量調節部を制御するための制御信号を映像信号の出力とは異なるプロトコルに準じて出力する制御信号出力手段として動作する。従って、映像信号及び制御信号が入力される投写型映像表示装置においては、映像信号を解析せずに、映像の輝度に関する情報に基づく光量の調節を行うことができる。よって、投写型映像表示装置において映像信号を解析する負荷を低減させることができ、光量調節部を用いて映像の輝度に応じた光量の調節を速やかに行うことができる。
【発明の効果】
【００１８】
本発明によれば、投写型映像表示装置において映像信号を解析する負荷を低減させることができ、光量調節部を用いて映像の輝度に応じた光量の調節を行うことができる。
【図面の簡単な説明】
【００１９】
【図１】本発明の一実施形態に係る映像信号出力装置及び投写型映像表示装置を備えた映像表示システムの構成図。
【図２】同実施形態の映像信号出力装置が実行する「制御信号出力処理」の流れを示すフローチャート。
【図３】同実施形態の投写型映像表示装置が実行する「光量調節処理」の流れを示すフローチャート。
【図４】本発明の変形例に係る投写型映像表示装置を備えた映像表示システムの構成図。
【発明を実施するための形態】
【００２０】
以下、本発明の一実施形態について図面を参照しながら説明する。
図１に示すように、本実施形態に係る映像表示システム１は、映像信号を出力する映像信号出力装置である映像再生装置１０と、映像信号に基づいて映像を投写して表示する投写型映像表示装置である液晶プロジェクタ２０（以下、「プロジェクタ２０」）とを備えている。映像再生装置１０とプロジェクタ２０は、通信ケーブル３０を介して互いに接続されている。
【００２１】
映像再生装置１０は、プロジェクタ２０に映像を表示させる指示を行う装置であって、例えば、光ディスクプレーヤーまたはＰＣ（Personal Computer）により構成される。映像再生装置１０は、映像データを記憶する映像データ記憶媒体１１と、映像データから映像の輝度に関する情報を取得する輝度情報取得部１２と、映像信号と制御信号とを映像再生装置１０の外部に出力する信号出力部１３とを備えている。
【００２２】
映像データ記憶媒体１１は、例えば、光学ドライブを用いて記憶内容が読み取られる光学ディスク、または、ＨＤＤ（Hard Disk Drive）に含まれる磁気ディスクにより構成される。映像データ記憶媒体１１には、プロジェクタ２０に表示させる映像に関する情報である映像データが記憶されている。
【００２３】
輝度情報取得部１２は、映像データを解析する演算回路により構成されている。輝度情報取得部１２は、映像データを解析することにより、映像１フレーム分の映像データに基づいて、１フレーム分の映像における輝度の平均値を算出する。このようにして輝度情報取得部１２は、輝度の平均値を繰り返し算出して、映像の輝度に関する情報として輝度の平均値である平均輝度レベルを取得する。
【００２４】
信号出力部１３は、ＬＡＮ（Local Area Network）規格であるイーサネット（登録商標）に準じて形成されているイーサネット端子により構成されている。信号出力部１３は、映像信号を映像再生装置１０の外部へ出力する映像信号出力部と、制御信号を映像再生装置１０の外部へ出力する制御信号出力部を兼ねている。
【００２５】
プロジェクタ２０は、スクリーンや壁等の平面に映像を表示可能な装置であって、例えば、３枚の液晶パネル（図示略）を用いて映像を生成する３板式液晶プロジェクタにより構成される。プロジェクタ２０は、光学部品として、映像表示用の光を発する光源２１と、光量を調節する光量調節部である絞り２２と、光源２１が発した光を用いて映像を生成する映像生成部２３と、生成された映像の光を投射する投射レンズ２４とを備えている。
【００２６】
光源２１は、超高圧水銀ランプやメタルハライドランプ等の放電ランプにより構成されている。光源２１は、電力の供給を受けて光を発する。光源２１が発する光は、絞り２２を通過して映像生成部２３に入射する。
【００２７】
絞り２２は、光源２１が発した光が通過する開口（図示略）を有した光量調整装置であって、アイリスとして機能する。絞り２２の開口の大きさ、即ち絞り２２の開口率は変更可能に構成されている。絞り２２の開口率を大きくすると、絞り２２を通過する光量が減って、表示される映像が暗くなる。絞り２２の開口率を大きくすると、絞り２２を通過する光量が増えて、表示される映像が明るくなる。
【００２８】
映像生成部２３は、ドットマトリクス型のライトバルブである液晶パネルを備えた電気光学装置により構成されている。映像生成部２３には映像信号が入力され、入力された映像信号に基づいて液晶パネルが駆動される。そして、光源２１から映像生成部２３に入射した光が、映像信号に基づいて駆動されている液晶パネルを透過することによって、映像信号に基づいた映像が生成される。
【００２９】
投射レンズ２４は、映像生成部２３により生成された映像の光を投射するレンズ群により構成されている。映像の光が投射レンズ２４からプロジェクタ２０の外部に向けて投射されることにより、スクリーンや壁等に映像が表示される。
【００３０】
また、プロジェクタ２０は、プロジェクタ２０の外部から信号が入力される信号入力部２５と、映像信号に対して信号処理を施す映像信号処理部２６と、制御信号に基づいて動作するモータ駆動部２７と、このモータ駆動部２７により駆動される電動モータ２８とを備えている。
【００３１】
信号入力部２５は、信号出力部１３と同様に、イーサネットに準じて形成されているイーサネット端子により構成されている。信号入力部２５は、プロジェクタ２０の外部から映像信号が入力される映像信号入力部と、プロジェクタ２０の外部から制御信号が入力される制御信号入力部を兼ねている。
【００３２】
映像信号処理部２６は、プロジェクタ２０に入力された映像信号に対して、ＯＳＤ（On Screen Display）処理等の種々の信号処理を施す信号処理回路により構成されている。映像信号処理部２６における信号処理は、プロジェクタ２０が備える制御装置（図示略）により制御される。映像信号処理部２６により信号処理が施された映像信号は、映像生成部２３に入力される。
【００３３】
モータ駆動部２７は、モータ制御用の集積回路により構成されている。モータ駆動部２７は、制御信号に基づくパルス信号を受けて、ＰＷＭ（Pulse Width Modulation）制御により電動モータ２８を駆動する。
【００３４】
電動モータ２８は、絞り２２の開口率を変化させる電動機であって、絞り２２の駆動源である。絞り２２及びモータ駆動部２７及び電動モータ２８により電動アイリスが構成されている。
【００３５】
通信ケーブル３０は、８Ｐ８Ｃ（8 positions 8 conductors）の通信用コネクタを両端に備えるツイスティッドペアケーブルであって、通信用コネクタは、それぞれ、映像再生装置１０の信号出力部１３、プロジェクタ２０の信号入力部２５に接続されている。この１本の通信ケーブル３０を通して、電気信号である映像信号及び制御信号が映像再生装置１０からプロジェクタ２０に送信される。
【００３６】
図２を参照して、映像再生装置１０がプログラムに基づいて実行する「制御信号出力処理」について説明する。映像再生装置１０が実行するプログラムは、以下に説明するように、映像再生装置１０を、輝度情報取得手段及び制御信号出力手段として動作させるものであって、映像再生装置１０が備えるメモリ（図示略）に記憶されている。
【００３７】
まず、映像再生装置１０は、輝度情報取得部１２により、プロジェクタ２０に表示させる映像のデータである映像データを解析して、この映像データから平均輝度レベルを取得する（ステップＳ１）。ステップＳ１において、映像データ記憶媒体１１に記憶されている情報をプロジェクタ２０により映像として表示する場合には、映像データ記憶媒体１１に記憶されている映像データが解析される。映像再生装置１０がディスプレイを備えるもの（例えばＰＣ）であるときに、そのディスプレイに表示される映像をプロジェクタ２０により表示する場合には、ディスプレイに出力される映像信号が映像データとして解析される。
【００３８】
次いで、映像再生装置１０は、集積回路により、ステップＳ１で取得した平均輝度レベルに基づいて絞り制御用データを生成する（ステップＳ２）。絞り制御用データを生成する集積回路は、輝度情報取得部１２を構成する演算回路により構成してもよいし、輝度情報取得部１２を構成しない他の回路により構成してもよい。
【００３９】
そして、映像再生装置１０は、信号出力部１３を用いて、映像データを映像信号として送信し、ステップＳ２で生成された絞り制御用データを制御信号として送信する（ステップＳ３）。ステップＳ３において、映像データ記憶媒体１１に記憶されている情報をプロジェクタ２０により映像として表示する場合には、映像データ記憶媒体１１に記憶されている映像データが映像信号として外部に出力される。映像再生装置１０がディスプレイを備えるもの（例えばＰＣ）であるときに、そのディスプレイに表示される映像をプロジェクタ２０により表示する場合には、ディスプレイに出力される映像信号が外部に出力される。
【００４０】
ステップＳ３において、映像再生装置１０は、映像信号をＴＣＰ（Transmission Control Protocol）に準じて出力するとともに、制御信号をＵＤＰ（User Datagram Protocol）に準じて出力する。ＴＣＰ及びＵＤＰは、インターネットプロトコルスイートを構成する階層であって同じ階層であるトランスポート層に含まれるプロトコルである。このように映像信号と制御信号とは互いに異なるプロトコルに準じて出力される。
【００４１】
図３を参照して、プロジェクタ２０が実行する「光量調節処理」について説明する。
まず、プロジェクタ２０は、信号入力部２５を用いて、ステップＳ３において送信された映像信号とともに制御信号を受信する（ステップＳ１１）。
【００４２】
次いで、プロジェクタ２０は、ステップＳ１１において受信した制御信号を電動モータ２８の駆動回路であるモータ駆動部２７に入力するとともに、ステップＳ１１において受信した映像信号を映像信号処理部２６に入力する（ステップＳ１２）。互いに異なるプロトコルに準じて外部から入力される映像信号及び制御信号は、１本の通信ケーブル３０に含まれる同じ導線により伝送される場合であっても、上記プロトコルに基づいて分離することが可能である。
【００４３】
映像信号処理部２６に映像信号が入力されると、上述のごとく、映像信号に基づいてプロジェクタ２０は映像を投写して表示する。このとき、プロジェクタ２０は、制御信号が入力されたモータ駆動部２７により、電動モータ２８を駆動させて絞り２２を制御する（ステップＳ１３）。
【００４４】
本発明の作用について説明する。
プロジェクタ２０に表示させる映像の輝度に関する情報が、プロジェクタ２０に映像信号が送信される前に、映像再生装置１０において取得される。次いで、映像データが映像信号として映像再生装置１０からプロジェクタ２０に送信されるとともに、映像信号に基づいて表示される映像（画像）の輝度に関する情報が制御信号として映像再生装置１０からプロジェクタ２０に送信される。そして、プロジェクタ２０において、映像再生装置１０から受信した映像信号に基づいて映像が生成されて表示されるとともに、映像再生装置１０から受信した映像信号に基づいて絞り２２を用いて映像の光量が調節される。
【００４５】
本実施形態によれば、以下の効果を得ることができる。
（１）映像表示システム１において、映像再生装置１０が、プロジェクタ２０に表示させる映像の輝度に関する情報を映像データから取得して、輝度に関する情報に基づいてプロジェクタ２０が備える絞り２２を制御するための制御信号を出力する。そして、プロジェクタ２０が、映像再生装置１０から入力される制御信号に基づいて光量を調節する。従って、プロジェクタ２０は、映像再生装置１０から入力される映像信号を解析することなく、映像再生装置１０から入力される制御信号に基づいて、映像の輝度に関する情報に基づく光量の調節を行うことができる。よって、プロジェクタ２０において映像信号を解析する負荷を低減させることができ、絞り２２を用いて映像の輝度に応じた光量の調節を速やかに行うことができる。
【００４６】
（２）プロジェクタ２０が備えるモータ駆動部２７が、映像再生装置１０から入力される制御信号に基づいて、絞り２２の開口率を変化させるように電動モータ２８を駆動する。このため、光源２１の発光量を制御することにより光量を調節する場合に比べて、電動モータ２８により光量の調節を安定的に行うことができる。
【００４７】
（３）映像信号及び制御信号は、互いに異なるプロトコル（ＴＣＰとＵＤＰ）に準じて映像再生装置１０からプロジェクタ２０へ伝送されるため、１つの通信ケーブル３０を介して映像再生装置１０からプロジェクタ２０へ映像信号及び制御信号を転送することが可能である。
【００４８】
（４）プロジェクタ２０において、映像信号の入力とは異なるプロトコルに準じて外部から入力される制御信号に基づいて、絞り２２で光量が調節される。従って、プロジェクタ２０に表示させる映像の輝度に関する情報を制御信号として外部から入力すれば、映像の輝度に関する情報に基づく光量の調節を行うことができる。よって、プロジェクタ２０において映像信号を解析する負荷を低減させることができ、絞り２２を用いて映像の輝度に応じた光量の調節を速やかに行うことができる。
【００４９】
（５）映像再生装置１０は、プロジェクタ２０に表示させる映像の輝度に関する情報を映像データから取得する輝度情報取得部１２と、輝度に関する情報に基づいてプロジェクタ２０が備える絞り２２を制御するための制御信号を映像信号の出力とは異なるプロトコルに準じて出力する信号出力部１３とを備える。従って、映像信号及び制御信号が入力されるプロジェクタ２０においては、映像信号を解析せずに、映像の輝度に関する情報に基づく光量の調節を行うことができる。よって、プロジェクタ２０において映像信号を解析する負荷を低減させることができ、絞り２２を用いて映像の輝度に応じた光量の調節を速やかに行うことができる。
【００５０】
（６）映像再生装置１０が実行するプログラムによれば、映像再生装置１０が、プロジェクタ２０に表示させる映像の輝度に関する情報を映像データから取得する輝度情報取得手段、および、輝度に関する情報に基づいて絞り２２を制御するための制御信号を映像信号の出力とは異なるプロトコルに準じて出力する制御信号出力手段として動作する。従って、上記（５）に記載の効果を得ることができる。
【００５１】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００５２】
・上記実施形態では、光量調節部が絞り２２によって構成されているが、制御信号に基づいて光量を調節する光量調節部は、絞り２２と異なるものであってもよい。
図４に示すように、例えば、光量調節部を、光源２１に供給される電力を制御する光源駆動電力制御部２９により構成することもできる。光源駆動電力制御部２９は、光源２１に供給される駆動電力を制御することにより光源２１が発する光量である発光量を調節して、プロジェクタ２０により表示される映像の光量を調節する。このような構成においては、光源駆動電力制御部２９は、信号入力部２５を用いて受信した制御信号に基づいて、光源２１に供給される駆動電力を制御する。
【００５３】
・上記実施形態では、映像信号はＴＣＰに準じて送受信が行われるとともに、制御信号はＵＤＰに準じて送受信が行われる構成であるが、映像信号及び制御信号の少なくとも一方の送受信が、ＴＣＰ及びＵＤＰ以外のプロトコルに準じて行われる構成とすることもできる。
【００５４】
・上記実施形態では、信号出力部１３が映像信号出力部と制御信号出力部を兼ねる構成であるが、映像信号出力部を構成する端子と制御信号出力部を構成する端子とを別個の端子とすることもできる。同様に、上記実施形態では、信号入力部２５が映像信号入力部と制御信号入力部を兼ねる構成であるが、映像信号入力部を構成する端子と制御信号入力部を構成する端子とを別個の端子とすることもできる。
【００５５】
・上記実施形態では、映像信号及び制御信号の送受信は、通信ケーブル３０を用いて行われるが、映像信号及び制御信号の送受信が無線により行われる構成とすることもできる。この場合には、信号出力部１３及び信号入力部２５が、無線モジュールにより構成される。また、映像信号及び制御信号の一方の送受信が無線により行われ、他方の送受信が有線により行われる構成とすることもできる。
【００５６】
・上記実施形態では、プロジェクタ２０は、液晶パネルにより構成される映像生成部２３を備える投写型映像表示装置であるが、映像生成部が液晶パネル以外の電気光学装置を備える投写型映像表示装置に本発明を適用することもできる。例えば、映像生成部が微小鏡を格子状に配列したＤＭＤ（Digital Micromirror Device）を備えた電気光学装置により構成されていてもよい。このような構成においては、映像生成部に入力された映像信号に基づいてＤＭＤが駆動され、光源２１から映像生成部に入射した光が、投射レンズ２４に向けてＤＭＤにより画素毎に選択的に反射されることによって、映像信号に基づいた映像が生成される。
【符号の説明】
【００５７】
１…映像表示システム、１０…映像再生装置（映像信号出力装置）、１２…輝度情報取得部、１３…信号出力部（映像信号出力部、制御信号出力部）、２０…プロジェクタ（投写型映像表示装置）、２１…光源、２２…絞り（光量調節部）、２３…映像生成部、２５…信号入力部（映像信号入力部、制御信号入力部）、２７…モータ駆動部、２８…電動モータ、２９…光源駆動電力制御部（光量調節部）、３０…通信ケーブル。
【図１】
2012233978.tif 000003
【図２】
2012233978.tif 000004
【図３】
2012233978.tif 000005
【図４】
2012233978.tif 000006